(57)【特許請求の範囲】
【請求項１】
通電することにより発熱するヒータ素子が、筒状をなす本体の先端又は先端寄り部位に配置され、該ヒータ素子の電極の一方が、前記本体の内側であって該ヒータ素子より後方に配置された金属製のリード用軸部材に電気的に接続され、該リード用軸部材の後端部が、メッキ層が形成された外部端子の先端側に開口する取り付け穴内に挿入され、しかも、該外部端子が加締められることによって前記リード用軸部材の後端部に固定されてなる構成を有するグロープラグにおいて、
前記外部端子の外周面が、横断面において加締め工程前の多角形から、円に近づくように加締められて該外部端子が前記リード用軸部材の後端部に固定されていることを特徴するグロープラグ。
【請求項２】
通電することにより発熱するヒータ素子が、筒状をなす本体の先端又は先端寄り部位に配置され、該ヒータ素子の電極の一方が、前記本体の内側であって該ヒータ素子より後方に配置された金属製のリード用軸部材に電気的に接続され、該リード用軸部材の後端部が、外部端子の先端側に開口する取り付け穴内に挿入され、しかも、該外部端子が前記リード用軸部材の後端部に固定されてなる構成を有するグロープラグであって、
前記外部端子の前記取り付け穴に、前記リード用軸部材の後端部を挿入した後、該外部端子を加締めることによって、該外部端子を前記リード用軸部材の後端部に固定する加締め工程を含んでいるグロープラグの製造方法において、
この加締め工程前における前記外部端子の加締め予定部位の外周面を横断面が多角形としておき、
前記加締め工程において、
前記加締め予定部位の外周面を、横断面が加締め工程前の多角形から円に近づくように加締めることを特徴とするグロープラグの製造方法。
【請求項３】
前記加締め工程において使用する金型が、型閉じしたときの成形部が円をなすように形成された２つ割りの金型であり、前記外部端子の前記加締め予定部位の外周面を、横断面において奇数の角を持つ多角形としておくことを特徴とする請求項２に記載のグロープラグの製造方法。
【請求項４】
前記外部端子の前記加締め予定部位であって、自身の取り付け穴に挿入されている前記リード用軸部材の後端部と軸線方向で重なる部位のうち、その重なる部位における先後の中央又は中央寄り部位が、他の部位より大径の大径部をなすように形成されていることを特徴とする請求項２又は３のいずれか１項に記載のグロープラグの製造方法。
【請求項５】
前記加締め工程に使用される金型における、前記加締め予定部位の外周面を加締める成形部を、
該成形部における先後の中央又は中央寄り部位に頂部を有するように、前記加締め予定部位の外周面に向けて凸となすように形成したことを特徴とする請求項２〜４のいずれか１項に記載のグロープラグの製造方法。
【請求項６】
前記加締め工程に使用される金型における、前記加締め予定部位の外周面を加締める成形部を、
前記外部端子の前記加締め予定部位であって、自身の取り付け穴に挿入されている前記リード用軸部材の後端部と軸線方向で重なる部位のうち、その重なる部位における先後の中央又は中央寄り部位に対向することになる部位において頂部を有するように、前記加締め予定部位の外周面に向けて凸となすように形成したことを特徴とする請求項２〜４のいずれか１項に記載のグロープラグの製造方法。
【発明の詳細な説明】
【技術分野】
【０００１】
本発明は、ディーゼルエンジンなどの始動促進用に、エンジンの燃焼室などに取り付けられるグロープラグ及びその製造方法に関する。
【背景技術】
【０００２】
グロープラグは従来より各種の構造のものが知られている（例えば、特許文献１、２参照）。図１０は、その一例を示したものであり、このグロープラグ８０１は、通電することによって発熱するヒータ素子１１が、円筒状をなす本体（以下、単に本体とも言う）３１内の先端から突出するように固定されている。そして、このヒータ素子１１が備える電極のうちの一方は、この本体３１等を介してエンジンヘッド（図示せず）に接地されるように構成されており、他方は、ヒータ素子１１の後方に、本体３１内において絶縁を保持して配置された棒状の金属製のリード用軸部材５１に電気的に接続されている。そして、このリード用軸部材（以下、単に軸部材とも言う）５１の後端には、電力供給用のリード線のソケット端子との接続用に、外部端子（ピン端子）７０が本体３１の後端から突出する形で固定されている。
【０００３】
このような外部端子７０は、先端の中央に開口する取り付け穴７２を有しており、グロープラグの組立工程の最終段階で、この取り付け穴７２にリード用軸部材５１の後端部５５を内挿した上で、その取り付け穴７２の回りの外周面のうちの先後方向の一部（加締め予定部位）を、その外周面の横断面が円から多角形（例えば、図１０の拡大図中に示した略正方形）のカシメ部（加締め部）８０となるようにカシメを行い、これを軸部材５１に固定していた。なお、本明細書において、実施形態例であるグロープラグ１０１、及びそれを構成する外部端子７０等の各構成部材（部品）等に関して先端というときは、図１０におけるグロープラグ８０１等の各部の下方の端をいい、逆に後端とは同図における上方の端をいう。
【０００４】
ところで、上記したような外部端子（端子部材）７０は、強度や変形容易性などから、例えば、一般構造用圧延鋼材で形成されていた。このため、その部品としての成形、加工後は、酸化防止のため、また前記のソケット端子との電気接続を助けるために、表面にメッキ層（例えば、スズ（Ｓｎ）、ニッケル（Ｎｉ）メッキ、及び銀（Ａｇ）メッキ等のメッキ層）が形成されるのが普通である。他方、上記したようなカシメ部８０を得るには、図１１の左図に示したように、成形部（成形面）５５３，５６３が、略９０度で開くＶ字形をなす加締め刃を持つ一対の金型５５１，５６１を用い、図示しない加締め前仕掛品（グロープラグ組付け体）における外部端子７０のカシメ予定部位を、図１１の右図に示したように挟み付け、その横断面が円から多角形状（例えば正方形状）のカシメ部８０となるように加締める（かしめる）ことになる。
【先行技術文献】
【特許文献】
【０００５】
【特許文献１】特開２００２−２６０８２７号公報
【特許文献１】特開平０９−３０００２８号公報
【発明の概要】
【発明が解決しようとする課題】
【０００６】
上記したように外部端子７０を挟み付けてそのカシメ予定部位を、横断面が円から多角形になるような加締め（以下、「角加締め」ともいう）を行うと、加締め後のカシメ部８０をなす多角形の角（コーナ）８０ｃをなす部位のメッキ層に亀裂や破断（メッキ切れ）が生じたり、剥離が生じることがあるといった問題があった。このようなメッキ切れや剥離（メッキ損傷部）があると、そのメッキ損傷部を起点として酸化（腐食）を招くことになる。そして、これが進むと、グロープラグとしての使用過程で、外部端子７０に被せられた相手方端子（リード線のソケット端子）との導通不良を招くおそれがあり、電気的信頼性に課題があった。なお、このようなメッキ切れや剥離は次のようにして発生する。というのは、上記のような角加締めによる場合には、加締め工程で外部端子７０のカシメ部８０の外周面のうち、加締め後において正方形の角８０ｃをなす部位には、その際の変形に伴い周方向に沿って引張応力が大きく作用し、大きな伸び変形を起こす。このとき、その伸び変形にメッキ層が追随できないことから、メッキ切れ等が発生する。すなわち、角加締めではその角８０ｃの部位のメッキ層に大きな引張り応力が作用する、ということが、その発生原因と考えられる。
【０００７】
また、リード用軸部材は、ステンレス鋼材（ＳＵＳ４３０，ＳＵＳ４１０など）製や、炭素鋼などの鉄鋼材製とされることが多いが、近時はグロープラグ（全体）の軽量化の要請から、アルミニウム又はアルミニウム合金（アルミニウムを主成分とする合金）などの軽合金製（以下、「アルミニウム製」ともいう）のものが用いられることがある。一方、このようなアルミニウム製のリード用軸部材は、鉄鋼材製のものに比べると強度や剛性が低い。このため、アルミニウム製のリード用軸部材に、上記したように加締めによって外部端子を固定する場合には信頼性の高い固定が得られにくい。すなわち、外部端子を大きい力で圧縮して加締め、加締め力（固定力）を高めようとしても、低強度材からなるアルミニウム製のリード用軸部材が容易に変形してしまうため、強固な固定が得られないという課題がある。
【０００８】
また、上記したように角加締めする場合には、それに使用する金型５５１，５６１は寿命が短いといった問題もあった。理由は次のようである。このような角加締めによる場合、その加締め当初（金型の衝突開始時）に、金型５５１，５６１の成形部（Ｖ字形の成形面）５５３，５６３が外部端子７０と強く衝突する位置は、その加締め予定部位（横断面）が円形を成しているため、必然的に略一定となる（図１１の左図参照）。すなわち、金型におけるその当初衝突位置が局所的に強い衝撃を受け続けるため、早期に大きく摩耗してしまい、その寿命を短くするのである。
【０００９】
本発明は、従来のグロープラグにおける上記した問題点に鑑みてなされたもので、上記したように、外部端子を軸部材の後端部に加締めによって固定する場合において、外部端子の表面に形成されたメッキ層にメッキ切れや剥離などの損傷を発生させることがなく、また、リード用軸部材に、アルミニウム製のような低強度なものを用いるとしても、外部端子との信頼性の高い強固な固定が得られ、しかも、加締め工程に用いる金型の寿命延長が図られる、グロープラグ及びその製造方法を提供することを目的とする。
【課題を解決するための手段】
【００１０】
請求項１に記載の本発明は、通電することにより発熱するヒータ素子が、筒状をなす本体の先端又は先端寄り部位に配置され、該ヒータ素子の電極の一方が、前記本体の内側であって該ヒータ素子より後方に配置された金属製のリード用軸部材に電気的に接続され、該リード用軸部材の後端部が、メッキ層が形成された外部端子の先端側に開口する取り付け穴内に挿入され、しかも、該外部端子が加締められることによって前記リード用軸部材の後端部に固定されてなる構成を有するグロープラグにおいて、
前記外部端子の外周面が、横断面において加締め工程前の多角形から、円に近づくように加締められて該外部端子が前記リード用軸部材の後端部に固定されていることを特徴する。
【００１１】
なお、本発明における「多角形」は、数学や図学における正多角形、正多角形ではないが多角形であるものの他、辺が直線又は曲線からなっているが複数の角（コーナー）を備えた形、さらには、それらの角に、傾斜面取り（又は、アール面取り）等が付けられて丸められているものなどをも含む広範な概念を意味するものである。
【００１２】
請求項２に記載の本発明は、通電することにより発熱するヒータ素子が、筒状をなす本体の先端又は先端寄り部位に配置され、該ヒータ素子の電極の一方が、前記本体の内側であって該ヒータ素子より後方に配置された金属製のリード用軸部材に電気的に接続され、該リード用軸部材の後端部が、外部端子の先端側に開口する取り付け穴内に挿入され、しかも、該外部端子が前記リード用軸部材の後端部に固定されてなる構成を有するグロープラグであって、
前記外部端子の前記取り付け穴に、前記リード用軸部材の後端部を挿入した後、該外部端子を加締めることによって、該外部端子を前記リード用軸部材の後端部に固定する加締め工程を含んでいるグロープラグの製造方法において、
この加締め工程前における前記外部端子の加締め予定部位の外周面を横断面が多角形としておき、
前記加締め工程において、
前記加締め予定部位の外周面を、横断面が加締め工程前の多角形から円に近づくように加締めることを特徴とする。
【００１３】
請求項３に記載の本発明は、前記加締め工程において使用する金型が、型閉じしたときの成形部が円をなすように形成された２つ割りの金型であり、前記外部端子の前記加締め予定部位の外周面を、横断面において奇数の角を持つ多角形としておくことを特徴とする請求項２に記載のグロープラグの製造方法である。
【００１４】
請求項４に記載の本発明は、前記外部端子の前記加締め予定部位であって、自身の取り付け穴に挿入されている前記リード用軸部材の後端部と軸線方向で重なる部位のうち、その重なる部位における先後の中央又は中央寄り部位が、他の部位より大径の大径部をなすように形成されていることを特徴とする請求項２又は３のいずれか１項に記載のグロープラグの製造方法である。
【００１５】
請求項５に記載の本発明は、前記加締め工程に使用される金型における、前記加締め予定部位の外周面を加締める成形部を、
該成形部における先後の中央又は中央寄り部位に頂部を有するように、前記加締め予定部位の外周面に向けて凸となすように形成したことを特徴とする請求項２〜４のいずれか１項に記載のグロープラグの製造方法である。
【００１６】
請求項６に記載の本発明は、前記加締め工程に使用される金型における、前記加締め予定部位の外周面を加締める成形部を、
前記外部端子の前記加締め予定部位であって、自身の取り付け穴に挿入されている前記リード用軸部材の後端部と軸線方向で重なる部位のうち、その重なる部位における先後の中央又は中央寄り部位に対向することになる部位において頂部を有するように、前記加締め予定部位の外周面に向けて凸となすように形成したことを特徴とする請求項２〜４のいずれか１項に記載のグロープラグの製造方法である。
【発明の効果】
【００１７】
本発明のグロープラグにおいては、その外部端子は、加締められている部位の外周面が、加締め工程前の横断面の多角形から、円（円形）に近づくように加締められて該リード用軸部材の後端部に固定されている。すなわち、本発明では、従来のような角加締めではなく、その加締め工程前における加締め予定部位の外周面の横断面が、四角、又は六角などの多角形であったものを、加締め工程でその角を潰して円に近づくように加締める、丸加締めとするものである。（以下、「角加締め」と区別するため、円に近づくように加締めることを、「丸加締め」とも言う。）このような丸加締めでは、従来の角加締めのように、横断面を、円から角を有する多角形に変形するものとは異なり、加締め工程及び加締め後においては、局所的（局部的）に周方向に大きな引張り応力が作用することはない。このため、外部端子の表面に形成されていたメッキ層に、従来のようにメッキ切れや剥離が生じることを有効に防止できる。
【００１８】
すなわち、本発明では横断面を多角形から円形に近づける丸加締めをすることで、外部端子を軸部材に固定するものであるから、その加締め工程では、当初の外周面における角は、その角度を大きくするように変形する。したがって、その角の表面には周方向において大きな引張り応力が作用することはないから、従来の角加締めに比べると、メッキ層のメッキ切れや剥離を生じにくい。一方、当初の多角形の角（コーナ）相互間の表面に沿う周方向の部位には、円弧状に膨らみ出る変形を起こすために引張り応力が作用することにはなるものの、角加締めによるような角とはならないから、メッキ層にメッキ切れや剥離を発生させることはない。なお、外部端子を丸加締めをするには、その横断面における外周面が加締め工程前においても円形であるものを、型閉じしたときの成形部がその円の外周面とは異なる曲率（半径）の円をなすように形成された金型を用いることによっても、行うことができる。しかし、このような場合には、その外周面に接する成形部の面積が大きくなるために面圧がかかり難くいし、加締め後の横断面形状がなりゆき任せとなるため、加締め後の横断面形状のコントロールがし難いという問題がある。これに対して、本発明では、加締め工程前の横断面が多角形であることから、こうした問題もない。
【００１９】
なお、本発明によれば、前記リード用軸部材が、アルミニウム又はアルミニウム合金製である場合でも、高い固定力が得られる。というのは、このようなアルミニウム製のリード用軸部材は鉄鋼材製のものより低強度、低剛性のために変形しやすい。したがって、同軸部材の後端部にアウトサートされている外部端子を従来のように角加締めする場合には、アルミニウム製のリード用軸部材の変形容易性に基づき、同軸部材の後端部も比較的大きく変形するため、高い固定力が得られない。すなわち、同軸部材の後端部を円柱形としておき、外部端子を角加締めすると、同軸部材の後端部も角加締めに倣うように横断面が角形になるように大きく変形する。これに対して、本発明では、外部端子が丸加締めされるものであるから、リード用軸部材の後端部が、当初、円柱形であるとしても、加締め後のその後端部の横断面自体には角加締めにおけるような大きな変形を生じない。すなわち、本発明によれば、角加締めされる場合よりも、丸加締めされる分、リード用軸部材の後端部の横断面の変形を抑えることができるので、リード用軸部材に、アルミニウム製のような低強度材を用いるとしても、角加締めされる場合よりも高い固定力が得られる。
【００２０】
また、本発明では、丸加締めされてなるものであるから、加締めに用いる金型（加締め用の刃）は、型閉じした際の成形部（成形内面）が、円をなすものを使用するのが普通であるが、これに限定されるものではなく、円に近い楕円であっても良い。他方、加締め工程前の外部端子の加締め予定部位の外周面の横断面は多角形である。したがって、その角（コーナ）が、加締め工程において金型の成形部（成形内面）に衝突する位置は、従来のように一定位置とならないように制御することができる。すなわち、本発明では、外部端子における加締め予定部位の外周面の多角形における角が、金型の円弧をなす成形部おける特定部位（一定位置）に衝突しないようにして加締めることができる。このため、本発明では、角加締めによる場合と異なり、その特定部位（一定位置）のみが局所的に、早く大きく摩耗したり、損傷するのを防止できるため、加締めに用いる金型の寿命の延長が図られる。
【００２１】
なお、本発明の製法で使用する金型は、加締め後において円に近づく加締め（丸加締め）が得られるものであればよく、したがって、金型（ダイス）の割り数（加締め刃（爪）の数）は２つ割りのもの（２方向から締付けることで加締める構成の金型）とすることに限定されるものではない。ただし、本発明では、丸加締めによるものであるから、２つ割りの金型でも安定した加締めが得られる。そして、そのように２つ割りの金型を用いる場合は、請求項３に記載の本発明のように、前記外部端子の加締め予定部位の外周面を、横断面において奇数の角を持つ多角形（例えば５角形）としておくとよい。すなわち、多角形とする際には、通常、正多角形をベースとした多角形となるが、この場合においその角の数が奇数であれば、型閉じ面に、２つの角が同時に位置することがなくなるし、１つの角が型閉じ面に位置することを避けるように制御するだけで、安定した丸加締めが得られるためである。
【００２２】
また、前記加締め工程に使用する金型における成形部（型閉じ面側のうち加締めに預かる成形部である成形面）は、前記加締め予定部位の先後において、リード用軸部材の軸線に平行又は略平行に形成されたものが使用されるのが普通である。このため、請求項４に記載の発明のように、前記外部端子の前記加締め予定部位を形成しておくと、上記加締め工程においては、容易に、その大径部に局所的に大きな荷重をかけることができる。このような作用により、本発明では、その大径部において加締めによる変形量（圧縮量）を他より大きくできる。すなわち、リード用軸部材と外部端子との加締めによる固定力を局所的に高める作用が得られるため、両者の電気的接続の安定を高めることができる。なお、前記外部端子の前記加締め予定部位であって、自身の取り付け穴に挿入されている前記リード用軸部材の後端部と軸線方向（長手方向）で重なる部位は、その部位の先後の各端に向かうに従い、該大径部から次第に（緩やかに）径が小さくなるようにするとよい。このようにしておくことで、前記外部端子の前記加締め予定部位の外周面の急激な形状変化が避けられるため、その表面のメッキの切れ等の問題回避にも有効なためである。なお、上記発明における「先後の中央又は中央寄り部位」における「中央寄り部位」は、その先後の各端から中央に寄っている部位であればよい。
【００２３】
請求項５又は請求項６に記載の本発明のように、金型の成形部を形成しておくことで、前記したのと同様の効果が得られる。このように形成しておくことで、前記外部端子の前記加締め予定部位の外周面が、自身の取り付け穴に挿入されている前記リード用軸部材の軸線と平行である場合でも、前記したのと同様の効果が容易に得られるためである。すなわち、本発明のように凸となすように形成しておくことで、該金型を型閉じした際における成形部（軸線に垂直な断面で円又はこれに近い形状）における内径が、前記中央又は中央寄り部位において、その先後方向における各端側よりも小径の小径部となる。このため、前記加締め予定部位のうち、この小径部が対向する部位には加締めによる荷重を局所的に大きくかけることができる。なお、該成形部を、上記したように凸となすように形成するときは、その頂部から成形部における先後の各端に向かうに従い緩やかに低くなる（型閉じしたときの成形部の内径が大きくなる）ようにするのが、加締め予定部位の外周面（表面）のメッキの切れ等の問題回避のために好ましい。
【００２４】
さらに、軸部材は、その横断面の形状、大きさは長さ方向において同じでないものでもよい。しかも、軸部材は、その外周面（特に外部端子が嵌められる後端寄り部位）に、軸線方向（長手方向）に沿って延びる溝（凹部）、又はその軸線に垂直な仮想平面回りに溝を有するものであってもよい。また、この場合、後端寄り部位に螺旋状の溝又はネジ山を設けてもよい。さらに、このようにネジ（オスねじ）を設ける場合には、後述するように、外部端子の取り付け穴を、このネジが螺合するネジ穴とし、これにねじ込むものとしてもよい。本発明において、リード用軸部材の後端部を、外部端子の先端側に開口する取り付け穴内に挿入する手段には、ねじ込み方式による挿入も含まれる。
【図面の簡単な説明】
【００２５】
【図１】本発明を具体化した実施形態のグロープラグ（完成品）の正面縦断面図、及びその外部端子を含む本発明の要部の拡大図。
【図２】図１のグロープラグの製造（組立て）工程を説明する図。
【図３】図１のグロープラグの製造（組立て）の最終工程である加締め工程で、加締め用の金型で外部端子を加締める際の説明図。
【図４】左図は、図３のＳ−Ｓ線断面の説明用拡大図であり、右図は型閉じして丸加締めした後の図。
【図５】図４において、加締め予定部位の多角形が正方形である外部端子の場合の加締め工程を説明する図。
【図６】４つ割りの加締め用の金型を用いて丸加締めする場合の説明図。
【図７】本発明の製造方法の改良例であって、加締め用の金型で外部端子を加締める前のグロープラグ（加締め前仕掛品）の要部の半断面図。
【図８】図７において加締め終えた後のグロープラグの要部の半断面図。
【図９】図７、図８に示した製造方法の変形例の、加締め用の金型で外部端子を加締める前のグロープラグ（加締め前仕掛品）の要部の半断面図。
【図１０】従来のグロープラグの正面半断面図、及び外部端子を含む本発明の要部の拡大図。
【図１１】従来のグロープラグにおける外部端子の加締め工程を説明する横断面図。
【発明を実施するための形態】
【００２６】
本発明を具体化した一実施形態例について、図面を参照しながら説明する。まず、グロープラグの構成について図１に基づいて説明する。本形態において製造されるグロープラグ１０１は、通電することにより発熱する軸状のセラミックヒータ素子１１と、これをその先端（図示下端）を突出させて内側に締り嵌め状態で固定（固着）してなるステンレス鋼製の金属製筒状体２１と、この後端の大径部２２の後方（図示上端）に同軸状にて外嵌されて溶接されたステンレス鋼製の円筒状の本体３１等から、次のように構成されている。
【００２７】
すなわち、ヒータ素子１１は、軸線Ｇ方向において同径をなす丸棒状に形成されており、図１及び図２−Ａ中に破線で示したように、絶縁基体（例えば窒化珪素質セラミック）１２中に設けられたＵ字形の抵抗発熱体１３の両端部において後方に延びる中継用導体１４に連なるように形成された電極１６，１７を、ヒータ素子１１の後端寄り部位において先後にずれた位置で外周面（側面）に露出させている。このうち一方（先端側）の電極（接地側電極）１６は、金属製筒状体２１の内周面に押付けられて電気的に接続されている。また、他方の後方において露出する電極１７は、ヒータ素子１１の後方に、本体３１と絶縁が保持されて同軸状に内挿、配置された金属製のリード用軸部材（丸棒）５１の先端と電気的に接続されている。ただし、本例ではヒータ素子１１の後端部に外嵌めされたステンレス鋼製の中継パイプ６１の後端内に、軸部材５１の先端が嵌め込まれており、後方の電極１７は、この中継パイプ６１の先端寄り部位の内周面に押付けられ、この中継パイプ６１を介して軸部材５１に電気的に接続されている。
【００２８】
そして、このリード用軸部材５１の後端部５５は、本体３１の後端から突出されており、その突出する後端部５５には、図示しない外部接続用のリード線のソケット端子との接続用に、外部端子７０が本体３１の後方に突出する形で固定されている。ただし、この外部端子７０は、後端側に横断面が円をなすピン端子７１と同軸でその先端側に、中央に開口する横断面円形の取り付け穴７２を有する筒状部７５を有している。そして、この取り付け穴７２にリード用軸部材５１の後端部５５を隙間嵌めで内挿した上で、その取り付け穴７２に対応する筒状部７５の外周面を加締めることで、外部端子７０は軸部材５１に固定されている。
【００２９】
なお、外部端子７０における筒状部７５は、図１の拡大図に示したように、先端に大径の円フランジ部７６を有すると共に、後端（ピン端子７１の先端寄り部位）にソケット端子（キャップ）の抜け止め用円形大径部７７を有しており、本例では、この円フランジ部７６と抜け止め用円形大径部７７の中間の括れている部位が、丸加締めされて加締め部７９をなしている。そして、その加締め部７９として加締められる前の部位は、図２、図３に示したように、外周面の横断面が多角形（例えば、５角形）をなしており、この部位が加締め予定部位７８とされている（図２、図３中の断面図参照）。すなわち、このような外部端子７０の加締め部７９は、加締め後は、図１の拡大図中に示したように、横断面が円に近い形状を呈している。そして、このような外部端子７０は、加締め前から、すなわち、組立てられる前の部品の状態において、図示はしないが表面にメッキ層（例えば、銅メッキ層、及び仕上げメッキ層として錫メッキ層）が形成されたものである。
【００３０】
なお、本体３１の後端寄り部位の内周面には拡径部３５が設けられており、この拡径部３５の内周面と、リード用軸部材５１の外周面との間に、リング状のパッキン８１、及びリング状の絶縁部材９１が配置され、軸部材５１を本体３１の後端において絶縁を保持して固定する構成を有している。また、本例では、本体３１の中間部位の外周面に、グロープラグ１０１をエンジンにねじ込み方式で取り付けるためのネジ部３７が形成されており、後端寄り部位の外周面には、そのねじ込み用の多角形部（例えば、六角ボルトの頭部状部位）３９を備えている。
【００３１】
さて次に、上記構成のグロープラグ１０１の組立て手順について、図２〜図４に基づいて説明する。図２の左図（Ａ）に示したように、ヒータ素子１１の後端に中継パイプ６１を圧入により外嵌すると共に、ヒータ素子１１の中間部位に金属製筒状体２１を圧入により外嵌し、さらに、中継パイプ６１の後端に軸部材５１の先端を圧入して素子側中間体を組付けておく（図２の左図（Ａ））。次に、図２の中間図（Ｂ）に示したように、前記素子側中間体の後方から本体３１を軸部材５１に外嵌め状にし、本体３１の先端を金属製筒状体２１の後端に嵌合し、その嵌合部位を溶接して本体付き組付け体とする。そして、図２の右図（Ｃ）に示したように、この組付け体において本体３１の後端から突出する軸部材５１の後端部５５に対し、先端側からリング状のパッキン８１、リング状の絶縁部材９１を嵌め込む。最後に、外周面が５角形をなす加締め予定部位７８を有する外部端子７０の取り付け穴に、軸部材５１の後端部５５が内挿されるように組付け、加締め前仕掛品１００を得る。
【００３２】
次に、この加締め前仕掛品１００を加締め工程に回し、図３、図４に示したように、加締め用のプレス装置（図示せず）に取付けられた２つ割り（一対）の加締め刃を有する金型（ダイス）５０１，５０２にて、その外部端子７０における加締め予定部位７８の外周面を挟み付けるようにし、図４の右図に示したようにプレスして加締める。こうすることで、加締め予定部位７８はその外周面が、図４の左図に示した横断面五角形から、図４の右図に示したように円に近づくように丸加締めされて加締め部７９をなし、外部端子７０は軸部材５１の後端部５５に固定される。なお、図４に示したような２つ割り（一対）の金型５０１，５０２は、例えば、それぞれ半円状の成形部５０３，５０５を有しており、型閉じしたとき、この両成形部５０３，５０５で、加締め予定部位７８を圧縮して塑性変形させ、略円をなすように形成されている。
【００３３】
すなわち、このような加締め工程により、メッキ付きの外部端子７０における加締め前に多角形（略五角形）であった加締め予定部位７８の５つの角は、その角度を大きくするように変形すると共に、角相互間は外方に膨らみ出るように（凸となす曲線状となるように）変形し、金型５０１、５０２の成形部５０３，５０５である円（円弧）に近づくように塑性変形し、いびつな円断面となる。なお、本例において、外部端子７０における加締め予定部位７８の外周面は、加締め前において五角形であるとしているが、図３、図４に示したように、その五角形は各角に面取りが付けられたものである。
【００３４】
このように本形態では、外部端子７０の外周面の横断面を、五角形から円に近づくように丸加締めするものであるから、その加締め工程で、当初、五角形であったその各角（コーナ）は、その角度を大きくするように変形するから、そのコーナの表面には周方向において大きな引張り応力は発生しない。したがって、そのコーナにおけるメッキ層にメッキ切れや剥離を生じることが防止される。また、当初の五角形の角相互間の表面に沿う周方向の部位には周方向に引張り応力が作用するものの、その部位は円弧状に膨らみ出る変形に止まるため、メッキ層にメッキ切れや剥離を発生させることもない。
【００３５】
すなわち、本形態では外部端子７０を、加締め工程前に横断面が五角形であったものを円形に近づくように丸加締めしたものであり、したがって、表面のメッキ層にメッキ切れや剥離が発生することを低減ないし防止できるから、従来の製法にて製造されるグロープラグのように、メッキの損傷に基づく外部端子７０の腐食やその進行防止が図られる。よって、外部端子７０と、これに被せられる電力供給用のリード線のソケット端子との電気的接続の信頼性が高められる。
【００３６】
しかも、加締め前仕掛品１００における外部端子７０の加締め予定部位７８が五角形であることから理解されるが、これを金型５０１、５０２に配置する際には、軸線回りに適宜に回転させ、五角形の角が金型５０１，５０２における半円状の成形部５０３，５０５の任意の位置にくるように調節できる。すなわち、従来のように、横断面が円から、四角等の多角形に角加締めする場合のように、加締め当初（最初）において、金型の成形部（Ｖ字形の成形面）に外部端子が強く衝突する位置が同じとならないため、金型の寿命低下の防止も図られる。
【００３７】
なお、加締め性や強度、さらにはコスト面から、外部端子７０は、一般構造用圧延鋼材等のカシメに適した鋼材製とされる。一方、リード用軸部材５１には、軽量化等の要請からアルミニウム又はアルミニウム合金製のような低強度材が使用されることもある。このような低強度材を軸部材に用いる場合には、その後端部を外部端子の取り付け穴に単に内挿して、その外周面を加締めるだけでは強固な固定を得ることは困難である。こうした場合には、外部端子の取り付け穴をネジ穴とするか、軸部材の後端部の外周面にネジ山やローレットを設けるなど、外部端子の取り付け穴の内周面と、軸部材の後端部の外周面とのうち、少なくともいずれか一方に凹凸を設けるとよい。このようにすることで、外部端子を加締めたとき、これら凹凸の一方が、他方に食込む形となるから、その分、強固な固定が得られる。
【００３８】
とくに、リード用軸部材に、アルミニウム又はアルミニウム合金製のような低強度材を用いるような場合には、この後端部の外周面にネジを形成すると共に、外部端子の取り付け穴をこのネジに螺合するネジ穴とし、このネジ穴にリード用軸部材の後端部（オスネジ）をねじ込んでから、ネジを潰すように外部端子を加締めるとよい。本発明では、軸部材の材質にかかわらず、このようなねじ込み方式により、取り付け穴に軸部材を挿入する場合にも、上記したのと同様の効果が得られることは明らかであるが、このような場合には、その組立て過程でねじ込みを要することから組み立て作業が面倒となる。しかし、本発明では、加締め予定部位の多角形を利用して回螺することで、そのねじ込み作業の簡易、迅速化も図られるため、軸部材にアルミニウム又はアルミニウム合金製のものを用いる場合のその挿入工程の簡易化も図られる。
【００３９】
また、上記のアルミニウム又はアルミニウム合金製などに材料を変更することにより軽量化されたリード用軸部材、或いは、材料をアルミニウム等へ変更することなく、後端部の表面に凹凸を設けるなどして構造的に軽量化を実現したリード用軸部材を用いることもできる。ただし、このように構造的に軽量化を実現したリード用軸部材は、概して外部からの力（本発明においては加締め加工によりリード用軸部材にかかる圧縮力）によって変形を受け易い。したがって、このような軸部材は、部品として低強度であると言い得る。こうした懸念に対しては、リード用軸部材の後端部（少なくとも加締め加工において変形を受けるその後端部の部位）には、ネジ山、ローレット等の凹凸を設けることなく、単なる円柱形状とすることが好ましい。このようにしておくことで、部品として低強度であるとしても、ネジ部の谷（谷部）やローレットの凹部が起点となるリード用軸部材の損傷の発生確率を低減することが可能となるためである。
【００４０】
さらに、上記において「部品として低強度」であるか否かの判断手法の一例としては、例えばビッカース硬さ（ＪＩＳ  Ｚ２２４４（１９８８））に規定される硬さの測定方法が挙げられる。この方法で測定し、測定値が、ＨＶ２００以下となるものをリード用軸部材として用いる場合には、本発明は一層奏功し得る。なお、本発明において用いられるべき、アルミニウム製のリード用軸部材のビッカース硬さは、ＨＶ１１０である。
【００４１】
上記もしたように、リード用軸部材をアルミニウム製として従来のように外部端子を角加締めすると、同軸部材の後端部も角加締めに倣うように横断面が角形になるように大きく変形するため、強固な固定が得られない。これに対して、本発明では、外部端子が丸加締めされるものであるから、リード用軸部材の後端部が、当初、円柱形であるとしても、加締め後のその後端部の横断面自体には角加締めにおけるような大きな変形を生じない。このため、リード用軸部材にアルミニウム製のような低強度材を用いるとしても、角加締めされる場合よりも高い固定力が得られる。ただし、より強固な固定力を得るためには、上記したように、同軸部材の後端部にネジを設けると共に、外部端子の取り付け穴にもネジを設けてねじ込み方式とした上で加締めるのが好ましい。
【００４２】
なお、上記例では、２つ割りとした金型５０１，５０２を用い、外部端子７０の加締め予定部位７８における横断面の外周面を五角形とした場合で説明したが、本発明でにおける多角形は当然のことながら五角形に限定されるものでなく、適宜の数の角を有する多角形とすることができる。例えば、図５に示したように、外部端子７０の加締め予定部位７８における横断面の外周面を正方形とした場合でも、同様の２つ割りとした金型５０１，５０２を用い、図５の右図に示したように、これで加締め予定部位７８を圧縮することで、上記例と同様に丸加締めすることができる。一方、上記例のように、２つ割りとした金型５０１，５０２を用い、外部端子７０の加締め予定部位７８における横断面の外周面を五角形のような奇数の角を持つ多角形（正多角形）とした場合には、そのうちの２つの角が型閉じ面の両側に位置する危険性がなくなる。そして、１つの角が型閉じ面に位置しないように調節するだけで、均等な丸加締めが得られるため、容易に好ましい丸加締めを得ることができるという効果もある。
【００４３】
また、本発明の加締め工程に用いる金型は、２つ割りのものに限定されるものでもない。例えば、図６に示したように、外部端子７０の加締め予定部位７８の横断面が正方形であり、４つの角が等角度間隔にあるものである場合には、４つ割りの金型５１１〜５１４として、各金型５１１〜５１４が９０度間隔で放射状方向に移動するように配置したプレス装置を用いることとしてもよい。このように、各金型５１１〜５１４を放射状に移動して加締める場合には、その各角を効果的に、しかもより均等に潰す形で加締めることができるため、一層円に近い丸加締めを得ることができる。
【００４４】
本発明では、加締め予定部位の外周面が、横断面が多角形から円に近づくように加締めるのであるから、角の数の奇数、偶数に関係なく、加締め工程前の多角形はその角（コーナ）の数が少ないほど、加締め後においていびつな円になりがちである。したがって、より円に近い丸加締めを得たいような場合には、外部端子の加締め予定部位の横断面をなるべく多くの角を持つ多角形（５〜１０角形）としておくのが好ましい。また、加締めに使用する金型は、２つ割りのものに限られることなく、加締め予定部位の横断面の多角形に応じて、適宜の割り数の金型を用いればよい。なお、本発明において、外部端子の加締め予定部位の多角形は、いずれも正多角形に限定されるものでもなく、また、各金型も均等に分割したものに限定されるものでないことは明らかである。
【００４５】
そして、本発明において、加締め（加締め工程）に使用する金型は、その割り数に関係なく、型閉じしたときの成形部が円をなすように形成されたものが使用されるのが普通であるが、本発明では、加締め予定部位の外周面が、横断面が多角形から円に近づくように加締めることができればよい。したがって、型閉じ状態において成形部が正確な円をなすように形成されているものである必要はない。
【００４６】
さて次に、本発明のグロープラグの製造方法の改良例とでも言うべき実施例について、図７、及び図８に基づいて説明する。ただし、本例では、図１〜図４に基づいて説明したグロープラグの製造方法（上記製造方法）と、外部端子７０における加締め前における加締め予定部位７８の形状、構造のみが異なるのみである。このため、この相違点のみについて説明し、同一の部位には同一の符号を付すに止める。
【００４７】
上記製造方法では、外部端子７０における加締め予定部位７８は、外周面の横断面が先後方向において同一寸法（径）の多角形（五角形）をなしているものを前提としている。これに対して本例では、図７の加締め前仕掛品１００に示されるように、その外部端子７０における加締め予定部位７８は、その先後方向（図７の左右方向）の中央又は中央寄り部位が、他の部位より大径の大径部Ｔ１をなすように形成されている。なお、図７では、この大径の程度は誇張して示されている。すなわち、詳しくは、外部端子７０の加締め予定部位７８（金型５０１，５０２の幅Ｗ１を含む部位）であって、自身の取り付け穴７２に挿入されているリード用軸部材５１の後端部５５と軸線Ｇ方向で重なる部位（図７では金型５０１，５０２の幅Ｗ１）のうち、その重なる部位Ｗ１の先後の中央又は中央寄り部位が、他の部位より大径の大径部Ｔ１をなすように形成されている。そして、加締め予定部位７８の外径は、この大径部Ｔ１より加締め予定部位７８の先後（図７の左右）の各端に向かうに従い緩やかな勾配で径（外径）が小さくなるように、図示では軸線Ｇを通る平断面において円弧状に形成されている。これにより、加締められる前の加締め予定部位７８は、図１〜図４の製法において説明したそれと同様に、その外周面が横断面において、多角形をなしているが、図７に示したように、加締め予定部位７８における先後の中央又は中央寄り部位が相対的に大径部Ｔ１をなし、他の部位（各端寄り部位）より太くなるように形成されている。
【００４８】
しかして、このような加締め前仕掛品１００は、図に示したように、加締め用のプレス装置（図示せず）に取付けられた２つ割り（一対）の加締め刃を有する金型（ダイス）５０１，５０２にて、その幅Ｗ１方向の中央（中央寄り部位）が、加締め予定部位７８における中央又は中央寄り部位の大径部Ｔ１に位置するようにして、その加締め予定部位７８の外周面を挟み付けるように配置する。ただし、金型（ダイス）５０１，５０２における成形部５０３、５０５の先後方向（Ｗ１方向）は、軸線Ｇと平行とされている。そして、図８に示したように、この金型（ダイス）５０１，５０２にて、加締め予定部位７８をプレスして加締める。こうすることで、加締め予定部位７８はその外周面が、上記した図４の左図に示した横断面五角形から、図４の右図に示したように円に近づくように丸加締めされて加締め部７９をなし、外部端子７０は軸部材５１の後端部５５に固定される。ただし、本例では、外部端子７０の加締め予定部位７８のうち、リード用軸部材５１の後端部５５と軸線Ｇ方向で重なる部位（Ｗ１の部位）の先後の中央又は中央寄り部位が、他の部位より大径の大径部Ｔ１をなすように形成されている。このため、このような加締め工程においては、加締め予定部位７８の外周面は、その中央又は中央寄り部位の大径部Ｔ１において最大の圧縮力を受けて加締められることから、図８に示したように大径部Ｔ１の近傍は、金型５０１、５０２の成形部５０３，５０５に倣って先後には軸線Ｇと平行になる。
【００４９】
すなわち、本例では、その大径部Ｔ１に、加締めによる荷重を局所的に大きくかけることができるため、ここに他より大きな変形を与えることができる。これにより、リード用軸部材５１と外部端子７０との加締めによる固定力をこの部位（加締め前の大径部Ｔ１）において局所的に著しく高めることができるから、両者の電気的接続の安定が得られる。また、本例では、上記したように、大径部Ｔ１より加締め予定部位７８の先後の各端に向かうに従い緩やかな勾配で径（外径）が小さくなるように形成されているため、その表面のメッキの切れ等の問題回避にも有効とされている。なお、本例でも、加締められた部位の横断面は、図４の右図に示したのと同様の構成を有している。すなわち、２つ割り（一対）の金型５０１，５０２は、その横断面では、例えば、それぞれ半円状の成形部５０３，５０５を有しており、型閉じしたとき、この両成形部５０３，５０５で、加締め予定部位７８を圧縮して塑性変形させ、略円をなすように形成される。
【００５０】
なお、本例では、金型（ダイス）５０１，５０２における成形部５０３、５０５が、先後方向において軸線Ｇと平行とされているものとしたが、図７中、破線で示したように、成形部５０３、５０５を、その先後（幅Ｗ１方向）の中央又は中央寄り部位に頂部Ｔ２を有するように、加締め予定部位７８の外周面に凸となすように形成しておいてもよい。このようにしておけば、加締め予定部位７８の外周面の中央又は中央寄り部位の大径部Ｔ１の近傍を集中的に、より強い力で加締めることができる。なお、このように金型（ダイス）５０１，５０２における成形部５０３、５０５を、その先後における中央又は中央寄り部位に頂部Ｔ２を有するように凸となすように形成する場合も、その凸部は成形部５０３、５０５の先後の各端に向かうに従い緩やかな勾配で、すなわち、型閉じしたときの成形部の内径が緩やかに大きくなるように変化させるのが好ましい。
【００５１】
前記したことから理解されるが、加締め予定部位７８の外周面の一部に、加締めによる荷重を局所的に大きくかけるためには、図９に示したように、外部端子７０における加締め予定部位７８は、外周面の横断面が先後方向において同一寸法（径）の多角形（五角形）であってもよい。すなわち、図９に示したように、金型５０１，５０２の成形部５０３，５０５を前記したように、その先後における中央又は中央寄り部位に頂部Ｔ２を有するように凸となすように形成するだけでもよい。ただし、この場合には、図９に示したように、外部端子７０の加締め予定部位７８であって、自身の取り付け穴７２に挿入されているリード用軸部材５１の後端部５５と軸線Ｇ方向で重なる部位のうち、その重なる部位における先後の中央又は中央寄り部位に対向することになる部位において頂部Ｔ２を有するように、金型５０１，５０２における成形部５０３，５０５を、加締め予定部位７８の外周面に向けて凸となすように形成するのが好ましい。このような状態で加締めることで、加締め予定部位７８の外周面のうち、成形部５０３，５０５における頂部Ｔ２に対応する部位は局所的に強い力で加締められる。
【００５２】
なお、本発明において外部端子に設定される加締め予定部位の位置や、その部位の先後の寸法は、加締めにり外部端子が軸部材に固定されるべき強度等の要請に応じて適宜に設定すればよい。また、本発明が具体化されるグロープラグは、ヒータ素子がセラミックヒータなるものに限定されるものでなく、本発明の構成を有するものであるかぎり、各種のグロープラグに広く適用できる。
【符号の説明】
【００５３】
１１  ヒータ素子
３１  本体
５１  リード用軸部材
５５  リード用軸部材の後端部
７０  外部端子
７２  取り付け穴
７８  加締め予定部位
７９  加締め部
１０１  グロープラグ
５０１，５０２，５１１〜５１４  金型
５０３，５０５  成形部
Ｔ１  大径部
Ｔ２  頂部
【図１】
0005757828.tif 000002
【図２】
0005757828.tif 000003
【図３】
0005757828.tif 000004
【図４】
0005757828.tif 000005
【図５】
0005757828.tif 000006
【図６】
0005757828.tif 000007
【図７】
0005757828.tif 000008
【図８】
0005757828.tif 000009
【図９】
0005757828.tif 000010
【図１０】
0005757828.tif 000011
【図１１】
0005757828.tif 000012